(57)【要約】      （修正有）【課題】簡単に取り外しが出来、収納にも場所をとらない雨除けシートカバー装置を提供する。【解決手段】車椅子５０に取り付ける雨除けシートカバー２であって、車椅子５０のバックフレーム１０に取り付けた本体固定伸縮支柱３と、本体固定伸縮支柱３の先端に取り付けるシートカバー巻き取り本体１と、シートカバー巻き取り本体１の内に収納され、雨の時にシートカバー巻き取り本体１から引き出して雨除けとする雨除けシートカバー２と、ひじ掛け８に収納可能に取り付けた雨除けシートカバー２を張るためのシート張り伸縮金具５とからなり、雨除けシートカバー２の先端には、フットレスト１４に引っ掛けるための固定金具部４を取り付けたことを特徴とする。【選択図】図１
2012130581.tif 000002
【特許請求の範囲】
【請求項１】
車椅子に取り付ける雨除けシートカバー装置であって、車椅子のバックフレームに取り付ける本体固定伸縮支柱と、本体固定伸縮支柱の先端に取り付けるシートカバー巻き取り本体と、シートカバー巻き取り本体の内に収納され雨の時にシートカバー巻き取り本体から引き出して雨除けとする雨除けシートカバーと、ひじ掛けに収納できるように取り付けられたシートカバーを張るための張り伸縮金具とからなり、フットレストにシート端部を掛ける引っ掛け固定金具部とからなることを特徴とする雨除けシートカバー装置。
【請求項２】
雨除けシートカバーの幅を後輪間の幅より広くしたことを特徴とする請求項１に記載した雨除けシートカバー装置。
【請求項３】
シート巻き取り本体の前に、への字山形ガイドを設けたことを特徴とする請求項１に記載した雨除けシートカバー装置。
【発明の詳細な説明】
【技術分野】
【０００１】
本発明は、車椅子の乗員を覆って雨を除けるための車椅子の雨除けシートカバー装置に関する。
【背景技術】
【０００２】
この種の雨除けシートカバー装置は、例えば、特開２００５−８７６９４号公報に記載されている。その雨除けシートカバーの構成を図７と図８に基づいて説明すると、車椅子１００のハンドル１０９に設けられた支柱１０３の上部１０３ａと前輪１１３のフレーム１１５の上部１１５ａの間にガイドフレーム１１４が設けられている。雨除けシートカバー１０２の側面に設けられているリング１１６をそのガイドフレームに通して取り付けられている。
このうち支柱１０３とシートカバー１０２とガイドフレーム１１４は、車椅子１００に取り付け自在に構成されている。雨が降ってくると支柱１０３とガイドフレーム１１４を車椅子に取り付けてからシートカバー１０２をガイドフレーム１１４に沿わせて支柱１０３の上部１０３ａから前車輪１１３のフレーム１１５の上部１１５ａまで取り付けるものである。必要であれば前車輪１１３のフレーム１１５の上部１１５ａより下の足元部分については、ひざから下を覆うための別のカバーを取り付けることが出来るようになっている。
【先行技術文献】
【特許文献】
【０００３】
【特許文献１】特開２００５−８７６９４号公報
【発明の概要】
【発明が解決しようとする課題】
【０００４】
しかしながら、特開２００５−８７６９４号に記載されている雨除けシートカバーは
以下のような課題がある。
イ）雨が降ってくると支柱１０３とガイドンフレーム１１４を車椅子１００に取り付ける必要があるが、ガイドフレーム１１４は、長くて大きいので取り付けが大変である。
ロ）ガイドフレーム１１４は、長くて大きいので雨が降っていない時の収納には、大きな収納場所が必要である。
ハ）雨に濡れないようにひざから下を覆う場合は、別のカバーを取り付ける必要がある。
二）収納場所を考えて支柱１０３とガイドフレーム１１４を取り付けたままにしておくことができるが車椅子への乗り降り等の際に邪魔になる。
【課題を解決するための手段】
【０００５】
このような課題を解決するために、本発明の雨除けシートカバー装置は、車椅子に取り付ける雨除けシートカバーであって、車椅子のバックフレームに取り付けた本体固定伸縮支柱と、本体固定伸縮支柱の先端に取り付けるシートカバー巻き取り本体と、シートカバー巻き取り本体の内に収納され雨の時にシートカバー巻き取り本体から引き出して雨除けとする雨除けシートカバーと、ひじ掛けに収納可能に取り付けた雨除けシートカバーを張るためのシート張り伸縮金具とからなり、雨除けシートカバーの先端には、フットレストに引っ掛けるための固定金具部を取り付けたことを特徴とする。
【０００６】
また、本発明の雨除けシートカバー装置は、雨除けシートカバーの幅を後輪間の幅より広くしたことを特徴とする。
【０００７】
また、本発明の雨除けシートカバー装置は、シートカバー巻き取り本体の前に、への字状の山形ガイドを設けたことを特徴とする。
【発明の効果】
【０００８】
本発明の雨除けシートカバー装置は、雨除けシートカバーを収納した雨除けシートカバー巻き取り本体と、そのシートカバー巻取り本体を支持するための本体固定伸縮支柱とから構成されているので、雨除けシートカバー装置が大きくなく、簡単に取り付けることができるし、また、バックフレームに取り付けたままにしておいても、車椅子への乗り降り等に邪魔にならない。
【０００９】
本発明の雨除けシートカバー装置は、その先端に設けた固定金具部をフットレストに引っ掛けるようになっているのでひざから下を別のカバーで覆う必要がない。
【００１０】
本発明の雨除けシートカバー装置は、ひじ掛けに取り付けたシート張り伸縮金具を伸ばし雨除けシートカバーを張ることが出来るので、乗員着座の上に支柱を有しない雨除けシートカバーであり、支柱で邪魔になることはない。
【００１１】
また、雨除けシートカバーの幅を後輪間の幅より広くしたので乗員着座時に雨に濡れることが少なくなる。
【００１２】
また、本体固定伸縮支柱の先端に取り付けたシートカバー巻き取り本体は、シートカバー巻き取り本体の前にへの字山形ガイドを設けたので、雨除けシートカバーの引き出し出始めは、雨除けシートカバーがへの字山形になり、雨水の流れを良くすることができる。
【００１３】
また、この雨除けシートカバー装置は、車椅子に取り付けたままにしておくことで、天気の良い日差しの強い時には、日よけ傘代わりとしても利用することができる。
【図面の簡単な説明】
【００１４】
【図１】本発明の雨除けシートカバー装置を車椅子に取り付けた図
【図２】シートカバー巻き取り本体のへの字山形部からシートカバーを引き出した図
【図３】本体固定伸縮支柱を車椅子バックフレームに取り付けた図
【図４】シートカバー巻き取り本体のセット解除した図
【図５】張り伸縮金具をひじ掛けに収納している図
【図６】本発明の雨除けシートカバー装置を車椅子に使用した図
【図７】従来例の雨除けシートカバー装置の略図
【図８】従来例の雨除けシートカバーの拡大図
【発明を実施するための形態】
【００１５】
本発明の雨除けシートカバー装置を図面を用いて説明する。本発明の雨除けシートカバー装置は、図1に図示されているように、化学繊維素材の雨除けシートカバー２を収納したシートカバー巻き取り本体１と本体固定伸縮支柱３とからなっている。
【００１６】
シートカバー巻き取り本体１は、図２に図示しているように、プラスチックケースで構成され、その中にロール（図示していない）が設けられていて、そのロールに後輪間の幅より大きい雨除けシートカバー２が巻き取られている。シートカバー巻き取り本体１には、雨除けシートカバー２を取り出すための開口部の１ａが設けられている。また、シートカバー巻き取り本体１には、開口部１ａの前側にへの字山形ガイド６が支持部材６ａによって取り付けられている。
【００１７】
雨除けシートカバー２の先端には、車椅子のフットレスト１４に引っ掛けるための固定金具部であるリング４が取り付けられている。なお、車椅子のフットレスト１４には、リング４を引っ掛けるためのシート固定棒７が設けられている。
【００１８】
本体固定伸縮支柱３は、図３に図示しているように車椅子バックフレーム１０に留め金具１６を介し、蝶ネジ１５で固定装着されたものである。この本体固定伸縮支柱３は、支柱になる支柱部が上下に伸縮し、シートカバー巻き取り本体１の高さ調整ができるように取り付けられている。
【００１９】
シートカバー巻き取り本体１は、図４に図示するように本体固定伸縮支柱３から脱着できるようになっている。シートカバー巻き取り本体１の本体固定伸縮支柱３への取り付け部１ｂを本体固定伸縮支柱上部３ｂから外すと、シートカバー巻き取り本体１は、本体固定伸縮支柱上部３ｃを軸にして回転できるように保持されるようにもなっている。
【００２０】
シート張り伸縮金具５は、図５に図示するようにひじ掛け８に取り付けられ、このシート張り伸縮金具５は、油圧によって自由に伸縮できるようになっている。シートカバー巻き取り本体１の開口部１ａから雨除けシートカバー２を引き出し、固定金具部であるリング４をフットレスト１４のシート固定棒7に引っ掛けて張った時に雨除けシートカバー2の張り具合を調整するためシート張り伸縮金具である。
【００２１】
次に、本発明の雨除けシートカバー装置の使い方を説明すると、雨が降ってきた時に、車椅子５０のバックフレーム１０に本体固定伸縮支柱３を取り付け、その本体固定伸縮３の取り付け上部に本体固定伸縮支柱３ｂと本体固定伸縮支柱３ｃにシートカバー巻き取り本体１の取り付け部１ｂと取り付け部１ｃを取り付けることによって、シートカバー巻き取り本体１を本体固定伸縮支柱３に取り付ける。その後、シート張り伸縮金具５をひじ掛け８から取り出し、セットする。それからシートカバー巻き取り本体１の開口部１ａから雨除けシートカバー２の先端を引き出し、シート張り伸縮金具５に引っ掛けてから雨除けシートカバー２の先端の固定金具であるリング４をフットレスト１４のシート固定棒７に引っ掛けることによって、取り付けが完了する。
【００２２】
雨除けシートカバー２は、シートカバー巻き取り本体１の前に設けられているへの字山形６により、山形に形成される状態にとなっている。この山形の形状と
雨除けシートカバー２が後車輪１１よりも大きな幅で装備されているので雨がスムーズに後車輪１１の幅よりも外に落とすことができるようになっている。
【符号の説明】
【００２３】
１  シートカバー巻取り本体
１ａ開口部
１ｂ取り付け部
１ｃ取り付け部
２  雨除けシートカバー
３  本体固定伸縮支柱
４  固定金具部
５  シート張り伸縮金具
６  への字山形
７  シート固定棒
８  ひじ掛け
９  ハンドル
10  バックフレーム
11  後輪
12  着座部
13  小車輪
14  フットレスト
15  蝶ネジ
16  留め金具
50  車椅子
【図１】
2012130581.tif 000003
【図２】
2012130581.tif 000004
【図３】
2012130581.tif 000005
【図４】
2012130581.tif 000006
【図５】
2012130581.tif 000007
【図６】
2012130581.tif 000008
【図７】
2012130581.tif 000009
【図８】
2012130581.tif 000010